(57)【特許請求の範囲】
【請求項１】
本体レールおよび走行レール（１）を備え、更に任意的に引出し式に延びるセンタレール（２）を備える家具引出しガイドのためのダンパ（３）において、
当該ダンパ（３）はハウジングからなり、前記ハウジングは前記走行レール（１）または前記本体レールに固定され、前記ハウジングは前記センタレール（２）または前記走行レール（１）の移動経路に配置され、前記ハウジングは少なくとも前記走行レール（１）の移動方向に弾性変形することができ、前記ハウジングは、引出し方向の力を吸収するチャンバを備え、前記ハウジングが蛇腹（４）として構成されている、ことを特徴とするダンパ。
【請求項２】
前記ハウジングがプラスチック製であることを特徴とする、請求項１に記載のダンパ。
【請求項３】
前記ハウジングが密閉チャンバとして構成されていることを特徴とする、請求項１または２に記載のダンパ。
【請求項４】
前記ハウジングが自己収縮弾性材から作られていることを特徴とする、請求項１または２に記載のダンパ。
【請求項５】
前記蛇腹（４）の断面が矩形、好ましくは正方形であることを特徴とする、請求項１〜４のいずれか一項に記載のダンパ。
【請求項６】
前記ハウジングまたは蛇腹（４）に空気が充填されていることを特徴とする、請求項１〜５のいずれか一項に記載のダンパ。
【請求項７】
前記ハウジングまたは蛇腹（４）に非圧縮性または略非圧縮性材料が充填されていることを特徴とする、請求項１〜６のいずれか一項に記載のダンパ。
【請求項８】
前記ハウジングまたは蛇腹（４）に連続気泡弾性材が充填されていることを特徴とする、請求項１〜７のいずれか一項に記載のダンパ。
【請求項９】
前記蛇腹（４）が摩擦的手段、インターロック的手段または素材的手段により端部プラグ（５）と結合されていることを特徴とする、請求項１〜８のいずれか一項に記載のダンパ。
【請求項１０】
前記蛇腹（４）が前記走行レール（１）の端部プラグ（５）と結合されていることを特徴とする、請求項１〜９のいずれか一項に記載のダンパ。
【請求項１１】
前記蛇腹（４）が一体的に作られていることを特徴とする、請求項１〜１０のいずれか一項に記載のダンパ。
【請求項１２】
前記蛇腹（４）および端部プラグ（５）がユニットとして一体的に作られていることを特徴とする、請求項１〜１１のいずれか一項に記載のダンパ。
【請求項１３】
機械ばねによって力が加えられることを特徴とする、請求項１に記載のダンパ。
【請求項１４】
前記蛇腹（４）がボルト（６）によって端部プラグ（５）と結合され、前記ボルト（６）が、前記蛇腹（４）の端面に取り付けられたピン（７）の孔をも貫通するように、前記端部プラグ（５）の孔を貫通していることを特徴とする、請求項１〜１３のいずれか一項に記載のダンパ。
【発明の詳細な説明】
【技術分野】
【０００１】
本発明は、本体レールおよび走行レールならびに任意のものとして引出し式に延びるセンタレール（ｐｕｌｌｏｕｔ−ｅｘｔｅｎｄｉｎｇ  ｃｅｎｔｅｒ  ｒａｉｌ）を備える家具引出しガイドのためのダンパに関する。
【背景技術】
【０００２】
家具引出しガイドは、家具引出し部を引き出したときに緊張し、家具引出し部が家具本体に押し戻されたときに蓄積されたエネルギーを解放する、エネルギー蓄積装置の形の自動閉鎖装置をしばしば備えている。エネルギー蓄積装置のエネルギーが閉鎖方向に解放される結果、家具引出し部は、いかなる外部操作力にも関係なく、その閉鎖位置まで確実に戻り、ダンパを備えた自動閉鎖装置の構造は公知である。このダンパはリミットストップに対する走行レールの過度の衝撃を実質的に防止し、衝撃音を実質的に低減するために使用される。
【発明の概要】
【発明が解決しようとする課題】
【０００３】
本発明は、耐久性に優れており、自動閉鎖装置の構成に依存しない、安価なダンパを提供するという目的に基づく。
【課題を解決するための手段】
【０００４】
この目的は、本発明によれば、ダンパが走行レールまたは本体レールに固定されたハウジングから成り、センタレールまたは走行レールの移動経路に配置され、少なくとも走行レールの移動方向に弾性変形することができ、引出し方向の力を吸収するチャンバを備えるというものにおいて達成される。
【０００５】
このように構成されたダンパ、例えば端位置ダンパは、極めて低コストで製造することができ、かつ事実上誤動作がない。走行レールが走入するときに、チャンバ内に配置されたガス状媒体が圧縮されることにより、運動エネルギーが吸収される。これは後退する走行レールの速度の減速、およびリミットストップにおける衝撃力の低下をも導くので、騒音のかなりの低減が可能である。
【０００６】
本発明の好ましい実施形態では、ハウジングはプラスチック製である。
【０００７】
当業者は、ダンパの長寿命化を確実にする多数の適切な材料を利用することができる。ガス状媒体は閉位置で圧縮され、したがってダンパが弛緩しているときより高圧下にある。家具引出しがこの閉位置から遠ざかるときに、圧縮ガス状媒体は再び弛緩することができ、それによってハウジングは再び元の形に戻される。
【０００８】
また、本発明に係るダンパの機能は事実上もっぱらガス状媒体の圧縮および減圧のみによって決定されるので、ハウジングの材料が弾力性を失うことは、耐久性においてさえもあまり重要ではない。
【０００９】
特に適切な実施形態は、ハウジングを蛇腹として構成することである。
【００１０】
これにより、移動方向に対し直角方向の座屈に対する強度および安定性と相まって、走行レールの移動方向に高い弾力性が達成される。
【００１１】
チャンバは主に、任意の不揮発性ガス状媒体を充填することができる。チャンバに空気を充填することは特に有用である。
【００１２】
本発明のさらなる特徴は、さらなる従属請求項の対象である。
【００１３】
本発明の実施形態を添付の図面に示し、以下でさらに詳細に説明する。
【図面の簡単な説明】
【００１４】
【図１】本発明に係るダンパが中立位置にある家具引出しガイドの部分断面斜視図を示す。
【図２】ダンパが部分的に圧縮された状態にある、図１の家具引出しガイドの部分断面斜視図を示す。
【図３】ダンパが最大限に圧縮された状態にある、図１および２の家具引出しガイドの部分断面斜視図を示す。
【図４】走行レールの端部プラグに固定されたダンパの部分断面斜視図を示す。
【発明を実施するための形態】
【００１５】
図１〜３において、参照番号１は、二重矢印Ａの方向の引出し式に延びるセンタレール２に対して長手方向に移動可能である、家具引出しガイドの走行レールを示す。
【００１６】
センタレール２は固着された本体レールに対して公知の方法で移動可能であるので、詳細は示さない。
【００１７】
方向付けを容易にするために、家具引出しを保持する走行レール１は使用時に、図１〜３に係る図位置で家具本体から左側に引き出され、家具本体内に右側に押し戻されることを指摘しておく必要がある。
【００１８】
本発明に係るダンパ３は前端が走行レール１に結合される。このダンパ３はセンタレール２の移動経路に存在し、家具引出し部の押込みに相応する走行レール１の挿設中に、センタレール２の前面側２ａと接触する。家具引出し部を家具本体から引き出すことに相応する走行レール１の引出し時に、ダンパ３はセンタレール２から完全に遠ざかる。
【００１９】
代替的に、引込み機構付き引出し式に延びるセンタレール２を持たない家具引出しの場合、端位置ダンパとして使用されるダンパ３は、本体レールの前面側と接触する。
【００２０】
ダンパ３は、蛇腹の形に構成されたハウジング４であって、外部に対して完全に密封され、ガス状媒体を充填されたチャンバを形成するハウジング４から成る。したがって、蛇腹４は中空体として構成され、外側に対して完全に密封される。ガス状媒体、好ましくは空気が前記中空体の内部に配置される。
【００２１】
蛇腹４はプラスチック製である。
【００２２】
特に図４に示す通り、蛇腹４は、走行レール１の前面端に挿設することのできる端部プラグ５に固定される。端部プラグ５における蛇腹４の固定は、蛇腹４の端面に取り付けられるピン７の孔と同様に、端部プラグ５の孔を貫通するボルト６によって行なわれる。
【００２３】
走行レール１の後退中に、センタレール２の前面端２ａと蛇腹４の対向面側４ａとの間の距離が減少すると、蛇腹４はセンタレール２の前面側２ａと接触する。２つのレール１および２が互いに一緒にさらに押し込まれると、蛇腹４の内部に配置されたガス状媒体の圧縮を伴う、蛇腹の軸方向の縮減をもたらす。こうして走行レール１の進入速度は低下し、走行レール１がエンドストップ等に接触したときの騒音が最小化される。
【００２４】
例えば閉じた抽斗の位置に対応する押込み状態で、蛇腹４は図３の例証に示すように最大限に圧縮され、その中のガス状媒体は最大限に圧縮され、したがって最高達成可能な内部圧力状態にある。抽斗が再び開けられると、それは走行レール１がセンタレール２に対して左側に移動することを意味し、ガス状媒体は蛇腹４の内部で再び弛緩し、こうして図１に示すように蛇腹４を再びその元の形に戻すことができる。
【００２５】
したがってダンパ３の減衰効果は、たとえ蛇腹４の圧縮のために特定の変形力が加えられ、蛇腹が解放されるとそれぞれの復元力が発揮されるとしても、記載した構造の結果、事実上もっぱら蛇腹４内のガス状媒体の圧縮のみによって決定される。最後に示した変形力および復元力は機能に対してあまり重要ではなく、蛇腹４に作用する変形力および復元力が最終的にゼロに近づくときにも、ダンパ３はその機能を維持する。
【００２６】
例示的実施形態で、家具引出しガイドの走行レール１とセンタレール２との間の協働について記載した。センタレール２が存在せず、走行レール１が固着本体レール上で直接案内されるときにも、ダンパ３は明らかに有利に使用することができる。その場合、ダンパ３は代替的に本体レールの後端領域に固定し、走行レール１の後面端によって加圧することもできる。
【００２７】
蛇腹４を自己収縮弾性材から作成し、事実上非圧縮性の媒体を充填材として使用することも可能であることは明らかである。
【００２８】
減衰効果を達成するために、蛇腹４に連続気泡弾性材を充填することがさらに可能である。
【００２９】
さらに、減衰効果を達成するために、任意の形の機械ばねの使用が可能である。
【００３０】
端部プラグ５とダンパ３との間の結合手段として、任意の形状のインターロックによる結合、摩擦による結合、または素材による結合が可能である。
【００３１】
さらなる実施形態では、端部プラグ５およびダンパ３が２分割射出成形プロセスで一体的に製造される。このようにして、蛇腹４を高弾性のプラスチックから、端部プラグを高硬度のプラスチックで構成することができる。
【００３２】
さらなる実施形態では、ハウジングを密閉チャンバとして構成し、筺体は、例えば自己収弾性材から作られる。この実施形態では、ハウジングまたは蛇腹４に非圧縮性または略非圧縮性媒体を充填することができる。代替的に、ハウジングまたは蛇腹４に連続気泡弾性材を充填することもできる。蛇腹４は、インターロック的、摩擦的、または素材的手段により、端部プラグ４と適切に結合される。さらに、蛇腹は走行レール１の端部プラグ５と結合することもできる。蛇腹４が一体的に構成される場合、特に有利である。さらに、蛇腹４および端部プラグ５をユニットとして一体的に作成することが可能である。さらに、機械ばねによって力を加えることも可能である。
【図１】
0005453619.tif 000002
【図２】
0005453619.tif 000003
【図３】
0005453619.tif 000004
【図４】
0005453619.tif 000005